(57)【要約】【課題】現在普及しているバーコード形態と異なる形態のバーコードが付された商品においても現在普及しているバーコードスキャナで読み取ることが可能なバーコード、例えばＪＡＮ又ＥＡＮ等のバーコードに変換して印字発行することができるラベル発行装置を提供する。【解決手段】商品に付され少なくとも商品を識別する商品識別情報が記憶されたバーコードを読み取るバーコード読取手段と、バーコード読取手段により、バーコードを読み取った際、商品識別情報を特定する商品識別情報特定手段と、商品識別情報特定手段で特定された商品識別情報を、前記商品に付されたバーコードとは異なるバーコード形態のバーコードに変換して、該変換したバーコードをラベルに印字し発行する制御手段と、を備えた。【選択図】図３（ａ）
2010194741.tif 000002
【特許請求の範囲】
【請求項１】
商品に付され、少なくとも商品を識別する商品識別情報が記憶されたバーコードを読み取るバーコード読取手段と、
前記バーコード読取手段により、前記バーコードを読み取った際、前記商品識別情報を特定する商品識別情報特定手段と、
前記商品識別情報特定手段で特定された商品識別情報を、前記商品に付されたバーコードとは異なるバーコード形態のバーコードに変換して、該変換したバーコードをラベルに印字し発行する制御手段と、を備えたことを特徴とするラベル発行装置。
【請求項２】
請求項１に記載のラベル発行装置において、
前記バーコード形態を変換する際、前記商品識別情報の桁数を変更して変換することを特徴とするラベル発行装置。
【請求項３】
請求項１又は２に記載のラベル発行装置において、
前記商品識別情報特定手段により前記商品識別情報が特定された際、前記商品識別情報の最上位の桁からゼロの数を判断し、該ゼロの数に応じて前記変換する前記バーコードの形態の桁数を異ならせることを特徴とするラベル発行装置。
【請求項４】
請求項１乃至３のいずれか１項に記載のラベル発行装置において、
前記商品に付されたバーコードの情報は、識別可能な項目毎に情報が記憶され、
前記商品に付されたバーコード中に記憶される情報のうち前記商品識別情報以外の情報を可読文字として印字する項目を選択する選択手段と、
前記バーコード読取手段により読み取られた情報のうち前記選択手段により選択された項目が含まれているか否かを判断する判断手段と、
前記判断手段で選択された項目が含まれていると判断された場合、前記変換したバーコードをラベルに印字する際に、併せて前記選択された項目に関する情報を可読文字として印字する制御手段と、を備えたことを特徴とするラベル発行装置。
【発明の詳細な説明】
【技術分野】
【０００１】
本発明は商品に貼り付けするラベルを発行するラベル発行装置に関する。
【背景技術】
【０００２】
一つのバーコードの中に複数の情報を含むＧＳ１データバーが今後市場に導入され、例えば輸入品等には、ＵＰＣコードやＥＡＮコードではなく、ＧＳ１データバーコードで商品識別コード（ＧＴＩＮ）が印刷されることが予想される。また、国内製品においても現在普及しているＪＡＮコードではなくＧＳ１データバーのバーコードが商品に印刷されてくることが予測される。
【先行技術文献】
【特許文献】
【０００３】
【特許文献１】特開平８−１１８７４２号公報
【発明の概要】
【発明が解決しようとする課題】
【０００４】
しかしながら、ＧＳ１データバーを読み取ることができるバーコードスキャナを備えたＰＯＳシステムが普及するには、時間がかかると予想される。そのためＧＳ１データバーを読み取ることができないＰＯＳシステムを備えた店舗にてＧＳ１データバーが付された商品が納品された場合、レジでの清算の際に該バーコードを読み取ることができない。
【０００５】
本発明は上述点に鑑みてなされてもので、現在普及しているバーコード形態と異なる形態のバーコードが付された商品においても現在普及しているバーコードスキャナで読み取ることが可能なバーコードを印字したラベルを発行することができるラベル発行装置を提供することを目的とする。
【課題を解決するための手段】
【０００６】
上記の課題を解決するために、本発明は、商品に付され、少なくとも商品を識別する商品識別情報が記憶されたバーコードを読み取るバーコード読取手段と、バーコード読取手段により、バーコードを読み取った際、商品識別情報を特定する商品識別情報特定手段と、商品識別情報特定手段で特定された商品識別情報を、商品に付されたバーコードとは異なるバーコード形態のバーコードに変換して、該変換したバーコードをラベルに印字し発行する制御手段と、を備えたことを特徴とする。
【０００７】
また、本発明は、上記ラベル発行装置において、バーコード形態を変換する際、商品識別情報の桁数を変更して変換することを特徴とする。
【０００８】
また、本発明は、上記ラベル発行装置において、商品識別情報特定手段により商品識別情報が特定された際、商品識別情報の最上位の桁からゼロの数を判断し、該ゼロの数に応じて変換するバーコードの形態の桁数を異ならせることを特徴とする。
【０００９】
また、本発明は、上記ラベル発行装置において、商品に付されたバーコードの情報は、識別可能な項目毎に情報が記憶され、商品に付されたバーコード中に記憶される情報のうち商品識別情報以外の情報を可読文字として印字する項目を選択する選択手段と、バーコード読取手段により読み取られた情報のうち選択手段により選択された項目が含まれているか否かを判断する判断手段と、判断手段で選択された項目が含まれていると判断された場合、変換したバーコードをラベルに印字する際に、併せて選択された項目に関する情報を可読文字として印字する制御手段と、を備えたことを特徴とする。
【００１０】
例えば、その商品のロット番号等は、通常商品には印字されていない場合が多く、その場合でも、ＧＳ１データバーのバーコードにはロット番号の情報が含まれている場合がある。そして、ＧＳ１データバーを読み取ることができるバーコードスキャナを備えたＰＯＳシステムでは、該バーコードを清算の際に読み取ることで、どのロット番号の商品が販売されたかのデータを蓄積できる。また、ＧＳ１データバーを読み取ることができないバーコードスキャナを備えたＰＯＳシステムでも、元々商品に付されているＧＳ１データバーには、ロット番号の情報が含まれているので、商品登録に必要な商品識別コード部分を例えばＪＡＮコード等に変換したラベルを印字する際、ロット番号を印字すると選択しておけば、そのロット番号も併せてラベルに印字される。これにより、レジで清算する際、オペレーターはラベルに印字しているロット番号に気付き、レジでこのロット番号を例えばキーにより入力できるようにしておけば、どのロット番号の商品が売れたかをデータとして記憶することが可能となる。
【００１１】
また、可読文字で印字するとは、例えば、ＧＳ１データバーにてＡＩ「１０」がロット番号を示すことが決められているので、「１０」と、そのロット番号のデータ、例えば「１２３４」と可読文字で印字することをいう。また、該番号をオペレーターが認識できない場合には、「ロット番号」「１２３４」と、ロット番号であることが分かるように可読文字で印字することをいう。つまり、予め選択したＡＩの項目に関する情報が、読み取られたバーコード情報に含まれている場合には、その項目を可読文字として印字することをいう。
【発明の効果】
【００１２】
請求項１に記載の発明によれば、バーコード読取手段により、バーコードを読み取った際、商品識別情報を広く普及している既存のバーコード読取手段で読み取ることができる異なるバーコード形態のバーコードに変換して、該変換したバーコードをラベルに印字し発行するので、広く普及していない形態のバーコード、例えばＧＳ１データバーのバーコードでも広く普及している既存のバーコード読取手段で読み取ることが可能な、例えばＪＡＮコード等のバーコードに変換してラベルを発行することができる。従って、この変換したバーコードを商品に貼り付けすることにより、既存の広く普及しているバーコード読取手段を備えたレジで商品登録及び清算を実施できる。
【００１３】
請求項２に記載の発明によれば、バーコード形態を変換する際、商品識別情報の桁数が変更されて変換されるので、例えば、ＧＳ１データバーと、ＪＡＮコードのように、前記商品識別情報が異なる桁数のバーコードにおいても正しい桁数の商品識別情報を印字させたラベルを発行することが可能になる。
【００１４】
また、請求項３に記載の発明によれば、商品識別情報特定手段により商品識別情報が特定された際、商品識別情報の最上位桁からゼロの数を判断し、該ゼロの数に応じて変換するバーコードの形態の桁数を異ならせるので、最上位桁からのゼロの数に応じて、例えば１３桁のＪＡＮコードか、８桁のＪＡＮコードかが判断されてバーコードが印字されるので、その商品にあった正しいバーコード形態でバーコードが印字される。
【００１５】
また、請求項４に記載の発明によれば、商品に付されたバーコード中に記憶される情報のうち商品識別情報以外の情報を可読文字として印字する項目を選択する選択手段と、バーコード読取手段により読み取られた情報のうち選択手段により選択された項目が含まれているか否かを判断する判断手段と、判断手段で選択された項目が含まれていると判断された場合、変換したバーコードをラベルに印字する際に、併せて選択された項目に関する情報を可読文字として印字する制御手段とを備えているので、商品登録に必要な商品識別コード部分を例えばＪＡＮコード等に変換したラベルに印字する際、例えば、ロット番号を印字すると選択し、バーコード中にロット番号の情報が記憶されていれば、そのロット番号も併せてラベルに印字できる。
【図面の簡単な説明】
【００１６】
【図１】本発明に係るラベル発行装置の外観例を示す図である。
【図２】本発明に係るラベル発行装置の電気的構成を示すブロック図である。
【図３（ａ）】本発明に係るラベル発行装置のラベル発行処理フローを示す図である。
【図３（ｂ）】本発明に係るラベル発行装置のラベル発行処理フローを示す図である。
【図４】ＲＡＭのワーキングエリアのフラグ、レジスタのマップ例を示す図である。
【図５】商品に付されているＧＳ１データバーのバーコード例を示す図である。
【図６】ラベルに印字するＡＩを選択する表示操作部の表示例を示す図である。
【図７】図５に示すバーコードをＪＡＮのバーコードに変換したデータを印字したラベル例を示す図である。
【発明を実施するための形態】
【００１７】
以下、本発明の実施の形態について、詳細に説明する。図１は本発明に係るラベル発行装置の外観例を示す図である。本ラベル発行装置１０は、表示操作部１１、テンキー部１２、電源スイッチ１３、メモリカード挿入口１４、ラベル発行口１５、及びスキャナ２５を備えている。
【００１８】
表示操作部１１は、液晶表示器の上面にタッチパネルが積層された構造をしている。操作者はタッチパネルを操作することにより、印字したい商品名などを選択でき、又、商品名などを記憶することができる。テンキー部１２は、品番キー、数字キー、ラベルフィードキー、発行キー、通常のラベル発行モードからＧＳ１データバーのバーコードを読み取ってＪＡＮコードのバーコードを印字するモードへ切り換える切換キー等から構成されている。メモリカード挿入口１４に挿入されるメモリカードには、商品データを記憶する商品ファイルや印字フォーマットデータを記憶する印字フォーマットファイル等が記憶されている。
【００１９】
操作者は、ラベルを発行させたい場合には、ラベル発行したい商品をテンキー部１２の品番キーと数字キーとで特定し、更に、印字したいラベル枚数を数字キーにて、入力し、発行キーを押すことで、当該商品の内容が印字されたラベルを所定枚数発行させることができる。
【００２０】
図２はラベル発行装置１０の電気的構成を示すブロック図である。図示するように、ラベル発行装置１０はＣＰＵ（中央処理装置）２１にバスライン２６で接続されたＲＯＭ２２、ＲＡＭ２３、ギャップセンサ２４、及びスキャナ２５を備えている。また、バスライン２６には表示操作部１１、テンキー部１２、及び印字部１６が接続されている。ＣＰＵ２１は、表示操作部１１から入力された入力データ等の各種入力データを処理する入力処理、種々の情報を表示操作部１１に出力する表示処理、後述する各種ファイルの内容の設定を行う設定処理、及び印字データを作成する印字データ作成処理や印字部１６の印字動作を制御する印字処理等を行う。
【００２１】
ＲＯＭ２２には、ＣＰＵ２１の処理制御用の各種プログラム、即ち、入力処理プログラム、印字処理プログラム、表示処理プログラム、設定処理プログラム、及び印字データ作成処理プログラム等が格納されている。ＲＯＭには、フラッシュメモリを用いるのが好ましく、これにより古いＲＯＭをソケットから抜き、新しいＲＯＭに差し替えるといった面倒な作業が不要になる。
【００２２】
ＲＡＭ２３には、フラグ、レジスタ等が設定されるワーキングエリア、フォントファイル、印字フォーマット、商品ファイル等の記憶領域が設けられている。また、記憶領域はバッテリバックアップが施されており、ラベル発行装置１０の本体の電源を落した場合でも、各種ファイルの内容は失われないようにしている。ＲＡＭ２３には、ＳＲＡＭカードを用いるのが好ましく、これにデータの移行等を簡単に行うことかできる。
【００２３】
スキャナ２５は商品に貼り付けされているバーコードを読み取るスキャナであり、このスキャナ２５はＧＳ１データバーに対応している。つまりＧＳ１データバーのバーコードを読み取ることができるスキャナである。
【００２４】
図４はＲＡＭ２３の記憶領域を示す図で、「ワーキングエリア」はフラグやレジスタ等のエリアであり、「バーコード情報エリア」は、後述のバーコード形態を変換するために読み取ったバーコード情報が記憶されるエリアである。また、「ＡＩ＝０１の情報エリア」は、前記バーコード情報エリアに記憶された情報のうち、ＡＩが０１の情報を特定して記憶するエリア、「変換後の情報エリア」はバーコードが変換された後のバーコードが変換された後のバーコード情報が記憶されるエリアである。
【００２５】
図５はＧＳ１データバーのバーコード例を示す図である。なお、図示するＡＩとその情報は、該バーコードにどの情報が含まれているかを説明するために表示しているが、実際のラベルには数字情報は印字されておらずバーコードのみが印字されている例にて説明する。図示するように各データをＡＩで定義（区別）して連結している。ＡＩには固有の番号を付している。図５では、ＧＴＩＮ（商品識別コード）をＡＩ＝０１で数字１４桁で、有効期限をＡＩ＝１７で数字６桁で、ロット番号を英数記号最大２０桁でそれぞれ表されている。この場合、商品識別コードは１３桁のＪＡＮコードの最上位の桁に「０」を加えて１４桁の商品識別コード（ＧＴＩＮ）としている。
【００２６】
なお、８桁のＪＡＮコードの場合は先頭に６つの「０」を付けてそれぞれ１４桁にして、ＧＳ１データバーのＧＴＩＮとして記憶されている。また、ＵＰＳコードの場合には、先頭に２つの「０」を付けて、１３桁のＥＡＮコードの場合には、先頭に一つの「０」を付けて、ＧＳ１データバーのＧＴＩＮとして記憶されている。
【００２７】
図６はＧＳ１データバーをＪＡＮコードに変換する際に、元のＧＳ１データバーに含まれているＡＩの情報を可読文字として印字するかしないかを選択するラベル発行装置１０の表示操作部１１の表示例を示す図であり、予め設定モードにて各ＡＩ毎に印字「する」／「しない」を設定できる。図示するように、例えばＡＩ：１０（ロット番号）印字「する」／「しない」、ＡＩ：１５（販売期限日）印字「する」／「しない」、・・・のデータが表示操作部１１に表示される。このように、各ＡＩ毎に、印字「する」／「しない」を選択するモードを設け、例えばロット番号を印字すると設定した場合で、商品に貼り付けされているＧＳ１データバーのバーコードを読み取りラベル発行装置１０でＪＡＮコードのバーコードを印字する際に、ＡＩに１０の情報が含まれているかを判断し、含まれていれば、ＡＩが「１０」に関する情報をＪＡＮコードと共にラベルに印字する。
【００２８】
図３（ａ）、（ｂ）は本発明に係るラベル発行装置のラベル発行処理フローを示す図である。ここでは商品に付されている図５に示すＧＳ１データバーのバーコードを読み取り、図７に示すＪＡＮコードのバーコードのラベルを発行する場合を説明する。そして、この例では１３桁のＪＡＮコード又は８桁のＪＡＮコードが１４桁のＧＴＩＮ（商品識別コード）としてＧＳ１データバーの情報に含まれて、該バーコードが付された商品が店舗に入荷された例を説明する。
【００２９】
先ず、ステップＳＴ１では、ラベル発行装置を通常の発行モードからＧＳ１データバーをスキャナ２５にてスキャンしてＪＡＮコードのバーコードを発行するモードに、テンキー部１２の切換キーを押すことで切り換える。
【００３０】
次にステップＳＴ２では、入荷された商品に付されている、図５に示すＧＳ１データバーのバーコードを読み取り、読み取ったバーコードデータをＲＡＭ２３のバーコード情報エリアにＡＩ毎に記憶する（図４参照）。
【００３１】
次にステップＳＴ３では、ステップＳＴ２で読み取ったバーコード情報エリアの中のＡＩが「０１」の１４桁の情報を特定し、該特定した情報をＲＡＭ２３のＡＩ＝０１の情報エリアに記憶する。
【００３２】
次にステップＳＴ４では、ステップＳＴ３で記憶された１４桁の情報の先頭からの０が１つか否かを判断し、イエス（Ｙ）であればステップＳＴ５に移行し、ノー（Ｎ）であればステップＳＴ１０（図３（ｂ））に移行する。
【００３３】
ステップＳＴ５では、ステップＳＴ３で記憶された１４桁の情報のうち最上位の桁の「０」を除いた１３桁の情報（２桁目から１４桁目までの情報）を、ＲＡＭ２３の変換後の情報のエリア（図４）に記憶する。つまり、１４桁の情報を１３桁の情報へ桁数を合わせて変換して記憶している。
【００３４】
次にステップＳＴ６では、ステップＳＴ２で記憶したバーコード情報に図６に示す表示操作部１１の表示例で印字「する」を選択したＡＩが有るか（含まれているか）否かを判断する。イエス（Ｙ）の場合はステップＳＴ７に移行し、ノー（Ｎ）の場合ステップＳＴ９に移行する。
【００３５】
ステップＳＴ７では、上記ステップＳＴ２で記憶されたＡＩと一致するか否かを判断し、イエス（Ｙ）の場合はステップＳＴ８に移行し、ノー（Ｎ）の場合はステップＳＴ９に移行する（この場合は、図６でＡＩ「１０」のロット番号が印字「する」と選択されていて、且つ図５のＧＳ１データバー情報にはＡＩの「１０」のロット番号が含まれているので、ロット番号の情報がＪＡＮコードと共に印字される）。印字すると選択された、ＡＩの情報がステップＳＴ２で記憶した情報に含まれているか否かを判断する。
【００３６】
ステップＳＴ８では、ステップＳＴ５で記憶した２桁目から１４桁目の情報を図７に示すように、１３桁の周知のＪＡＮコード１０２と、ステップＳＴ６で選択されたＡＩを含むと判断された、例えば上記のようにＡＩ＝１０に関するロット番号情報とが、図７に示すように、人が読むことが可能な可読文字１０３にて印字する。図７ではロット番号：１２３４が印字されている。
【００３７】
以上のように、ＧＳ１データバーを周知のバーコードであるＪＡＮコードに変換する際に、元のＧＳ１データバーに含まれているＡＩの情報を選択して印字することで、レジにその情報を入力する機能さえ備えておけば、例えＧＳ１データバーを読み取ることができなくとも、元々のＧＳ１データバーに含まれている情報をレジへ記憶することができるようになる。
【００３８】
なお、図７に示すように、ロット番号の文字数字、或いはＪＡＮバーコードをラベル１０１に印字するには、印字装置では必然的に設けられているラベル１０１上のどの位置にどの情報を印字するかを決めた印字フォーマットを事前に設定しておく。そしてこの設定したフォーマットに基づきラベル１０１にバーコード１０２や可読文字１０３が印字される。そして発行された図７に示すラベルを元のＧＳ１データバーのバーコードが印字されている商品のＧＳ１データバー（図５参照）が印字されている上に貼り付ける。これにより、レジでは印字されているＪＡＮコードのバーコードをスキャナにてスキャンすることで商品登録をすることができる。更に、ロット番号が印字されているので、オペレーターは該印字に気づき、登録する際に該ロット番号をも入力することができる。
【００３９】
なお、元々の商品に貼付されていたＧＳ１データバーをバーコードシンボルが異なるＪＡＮコードに変換し、該変換されたＪＡＮコードがレジでスキャンされることを説明したが、ＧＳ１データバーが貼り付けられた商品が店頭に入荷される際に、変換されるＪＡＮコードやそのコードに対応する商品名や値段等の当該商品に関する情報は、予めレジが清算の際に参照できるように記憶されている商品マスタに記憶しておく。これにより、当該変換されたＪＡＮコードが印字されたラベルがレジでスキャンされた場合でも、そのＪＡＮコードに対応する値段等を呼び出すことができ、清算が可能になる。
【００４０】
ステップＳＴ９では、ステップＳＴ７で、印字すると選択されたＡＩの情報がステップＳＴ２で記憶した情報に含まれていない、或いはステップＳＴ６で印字すると選択されたＡＩがないと判断されたので、ステップＳＴ５で記憶した１３桁の情報、つまり２桁目から１４桁目の情報をＪＡＮコードのバーコードのみを印字する。そしてステップＳＴ８と同様、発行されたラベルを元々のＧＳ１データバーのバーコード上に貼り付ける。
【００４１】
ステップＳＴ１０では、ステップＳＴ３で記憶された１４桁の先頭からの０が６つか否かを判断する。イエス（Ｙ）であればステップＳＴ１１に移行し、ノー（Ｎ）であればステップＳＴ１２に移行する。
【００４２】
ステップＳＴ１１では、ステップＳＴ３で記憶された１４桁の情報のうち、７桁目から１４桁目の情報を、ＲＡＭ２３の変換後の情報のエリアに記憶する。
【００４３】
また、ステップＳＴ１２では変換できないバーコードである旨を「エラー」として表示操作部１１に表示する。
【００４４】
ステップＳＴ１３では、ステップＳＴ２で記憶したバーコード情報に図６に示す表示操作部１１の表示例で印字「する」を選択したＡＩが有るか（含まれているか）否かを判断する。イエス（Ｙ）の場合はステップＳＴ１４に移行し、ノー（Ｎ）の場合はステップＳＴ１６に移行する。
【００４５】
ステップＳＴ１４では、ステップＳＴ２で記憶したバーコード情報に印字「する」を選択したＡＩが含まれているか否かを判断し、イエス（Ｙ）の場合はステップＳＴ１５に移行し、ノー（Ｎ）の場合は、ステップＳＴ１６に移行する。
【００４６】
ステップＳＴ１５では、ステップＳＴ５で記憶した７桁目から１４桁目の情報を８桁のＪＡＮコードのバーコードと、ステップＳＴ１３で記憶されていると判断したＡＩに関する選択された情報を、ラベルに人が読むことができる可読文字にて印字する。そして発行された図示しない８桁のＪＡＮコードと選択されたＡＩに関する情報と、が印字されたラベルを、図５に示すＧＳ１データバーのバーコードの上に貼り付け、レジではこの８桁のＪＡＮコードを読み取って清算する。
【００４７】
ステップＳＴ１６では、ステップＳＴ１４で、選択されたＡＩの情報がステップＳＴ２で記憶した情報に含まれていない、或いはステップＳＴ１３で印字すると選択されたＡＩがないと判断されたので、ステップＳＴ１０で記憶した７桁目から１４桁目の情報を８桁のＪＡＮコードのバーコードとして印字する。そして、ステップＳＴ１５と同様に発行されたラベルが図５に示すＧＳ１データバーのバーコード上に貼り付けられて、レジではこの８桁のＪＡＮコードを読み取り清算する。
【００４８】
また、上記例では、ステップＳＴ６でＡＩ＝１０のロット番号が印字すると選択された例を示したが、他のＡＩ、例えば「２４１」アイテムコード、また「１１」製造年月日等を印字すると、該選択したＡＩの情報がステップＳＴ２で記憶した情報に含まれているか否かをステップＳＴ６、或いはステップＳＴ１３で判断し、それらのＡＩに関するデータがステップＳＴ２にて読み取られた情報に記憶されていれば、それらの情報を印字するようにしても良い。
【００４９】
以上のように、ＧＳ１データバーのバーコードを読み取ることができないレジが導入されている店舗では、元々のＧＳ１データバーに、例えばロット番号の情報が入っていたとしても、該情報を読み出すことができない。しかし、レジでの清算の際にロット番号をキー入力できる機能を備えておけば、ラベルにロット番号が目視可能な情報として印字されているので、該情報をオペレーターは清算の際にキー入力することができ、１３桁の商品を識別する情報に合わせてどのロットの商品が販売されたかデータとして蓄積することができる。これにより、後に商品に問題があったとしても、該当するロットの商品を販売したか否かの確認をする際に利用することができる。
【００５０】
なお、上記実施形態例では、１３桁或いは８桁のＪＡＮバーコードと、ロット番号等の情報を同一のラベルに印字する例を説明したが、別のラベルに印字するようにしてもよい。また、上記実施形態例では、図５で一段のＧＳ１データバーの例で示したが、これに限らず複数段になっているＧＳ１データバーであっても良い。
【００５１】
また、上記実施形態例の図５では、実際のラベルにＧＳ１データバーのバーコードのみが印字された例を示したが、ＧＴＩＮ（商品識別コード）、ロット番号などがバーコードの直下に印字されてもよい。つまり、ＪＡＮコードに変更されたラベルが、元々商品に貼り付けられているＧＳ１データバーのバーコードの上に貼り付けられるので、たとえロット番号が印字されていたとしても、ＪＡＮコードのバーコードが印字されてラベルを貼り付けると、該印字が隠れてしまう恐れがある。そこでＪＡＮコードのバーコードが印字されるラベルにも選択された情報、例えばロット番号を印字することにより、上記隠れた印字を該印字で代用できる。
【００５２】
また、上記実施形態例では、商品そのものに印字されていない場合が多いロット番号をラベルに印字する例を示したが、これに限らず、商品そのものに印字されている例が多い、例えば、賞味期限日や加工日等の情報をラベルに印字するようにしてもよい。即ち、読み取られた識別可能な項目毎に情報が記憶されているバーコード中に、日付けに関する情報、例えば賞味期限日等が含まれているか否かを判断する日付け情報判断手段を設け、日付けに関する情報が含まれている場合、該情報を印字する。これによりレジでのオペレーターはバーコードの近くに例えば、賞味期限日等が印字されているので、賞味期限情報を瞬時に見つけることができ、賞味期限が近い否かを容易に判断することができる。
【００５３】
また、上記実施形態例の図７には、変換されるＪＡＮコードと、ロット番号とが印字される例を示したが、前記のように変換されるＪＡＮコードに関する商品名や値段等の商品情報は予め例えばストアコントローラーに商品マスタとして記憶しているので、該ストアコントローラーとラベル発行装置とを通信可能にし、本実施形態例のラベル発行装置でラベルを発行する際に、ストアコントローラーに記憶されている商品マスタを呼び出し、当該商品の商品名や値段その他店舗名等、ラベルに印字するようにしても良い。これにより、ＧＳ１データバーのバーコードシンボルの上に、変換されたＪＡＮコードが印字されたラベルを貼り付けする際、元のラベルに印字されていた情報が隠れてしまう場合でも、変換されたＪＡＮコードが印字されるラベルに商品名や値段等が印字されているので、取引に重要な情報が見えなくなることがなくなる。
【００５４】
また、更に好ましくは、元のＧＳ１データバーが印字されていたラベルに印字されていた情報を全て商品マスタから呼び出し、ＪＡＮコードが印字されるラベルに該情報全てを印字するようにしても良い。このようにすれば、元のラベルに印字されていた全ての情報が、重ねて貼り付けられるラベルに印字されているので、ラベルを重ねて貼り付けしても情報が隠れて見えなくなることを防ぐことができる。
【産業上の利用可能性】
【００５５】
本発明は、バーコード読取手段により、バーコードを読み取った際、商品識別情報を、広く普及している既存のバーコード読取手段で読み取ることができる異なる形態のバーコードに変換してラベルを発行するので、広く普及していない形態、例えばＧＳ１データバーのバーコードが付された商品が入荷した場合でも、広く普及しているＪＡＮ又はＥＡＮ又はＵＰＣ等の既存のバーコード読取手段で読み取ることが可能なバーコードに変換してラベルを発行できる。従って、本発明に係るラベル発行装置で変換したバーコードを商品に貼り付けすることにより、既存のバーコード読取手段を備えたレジで商品登録及び清算を実施できる。
【符号の説明】
【００５６】
１０  ラベル発行装置
１１  表示操作部
１２  テンキー部
１３  電源スイッチ
１４  メモリカード挿入口
１５  ラベル発行口
２１  ＣＰＵ
２２  ＲＯＭ
２３  ＲＡＭ
２４  ギャップセンサ
２５  スキャナ
【図１】
2010194741.tif 000003
【図２】
2010194741.tif 000004
【図３（ａ）】
2010194741.tif 000005
【図３（ｂ）】
2010194741.tif 000006
【図４】
2010194741.tif 000007
【図５】
2010194741.tif 000008
【図６】
2010194741.tif 000009
【図７】
2010194741.tif 000010